(57)【要約】【課題】暖房運転によるタンク内の熱量不足を防止し、深夜・夜間電力以外の高い時間帯の電力を使用することなく電気給湯機を有効に使用することができる給湯暖房システムを提供すること。【解決手段】電気給湯機Ｈより浴槽１０へ給湯するようにするとともに、電気給湯機Ｈのタンク１内に設置した暖房用熱交換器７と室内に設置した暖房機８間を、暖房用熱交換器７にて加熱された温水が循環用ポンプ９により循環する暖房用回路を設けた給湯暖房システムにおいて、深夜・夜間電力以外の時間帯で暖房機８を所定時間連続運転したときに、暖房機８への温水供給を自動的に停止する温水供給停止回路を設ける。【選択図】図１
2005133956.tif 000002
【特許請求の範囲】
【請求項１】
電気給湯機より浴槽へ給湯するようにするとともに、前記電気給湯機のタンク内に設置した暖房用熱交換器と室内に設置した暖房機間を、暖房用熱交換器にて加熱された温水が循環用ポンプにより循環する暖房用回路を設けた給湯暖房システムにおいて、深夜・夜間電力以外の時間帯で暖房機を所定時間連続運転したときに、該暖房機への温水供給を自動的に停止する温水供給停止回路を設けたことを特徴とする給湯暖房システム。
【請求項２】
深夜・夜間電力以外の時間帯で暖房機を連続運転して一定時間が経過したときに、暖房運転中であることを音声案内をする音声案内回路を設けたことを特徴とする請求項１記載の給湯暖房システム。
【発明の詳細な説明】
【技術分野】
【０００１】
本発明は、電気給湯機を熱源として暖房に利用する給湯暖房システムに関し、特に、暖房運転によるタンク内の熱量不足を防止し、深夜・夜間電力以外の高い時間帯の電力を使用することなく電気給湯機を有効に使用することができる給湯暖房システムに関するものである。
【背景技術】
【０００２】
従来、集合住宅や一般の戸建て住宅などにおいて、浴槽内への給湯に温水ボイラーや深夜・夜間電力を利用した電気温水器等の電気給湯機が汎用されており、電気給湯機のタンク内に貯湯されている所定温度の温水を、浴槽の給湯口や蛇口から供給するようにしている。
また、この電気給湯機は、必要に応じて追い焚きを可能とするため、追い焚き用熱交換器をタンク内に配設したり、浴室内の暖房や乾燥をするために、暖房用熱交換器をタンク内に配設したりしている。
【０００３】
暖房や乾燥運転は、暖房用熱交換器により加熱された温水を室内の暖房機との間で循環させることにより行うが、浴槽への給湯後などは暖房機を切り忘れることもあり、負荷の大きい連続暖房運転によりタンク内が熱量不足となった場合は、深夜・夜間電力以外の高い時間帯の電力を使用してタンクに熱量補充をしなければならない。
【発明の開示】
【発明が解決しようとする課題】
【０００４】
本発明は、上記従来の給湯暖房システムが有する問題点に鑑み、暖房運転によるタンク内の熱量不足を防止し、深夜・夜間電力以外の高い時間帯の電力を使用することなく電気給湯機を有効に使用することができる給湯暖房システムを提供することを目的とする。
【課題を解決するための手段】
【０００５】
上記目的を達成するため、本発明の給湯暖房システムは、電気給湯機より浴槽へ給湯するようにするとともに、前記電気給湯機のタンク内に設置した暖房用熱交換器と室内に設置した暖房機間を、暖房用熱交換器にて加熱された温水が循環用ポンプにより循環する暖房用回路を設けた給湯暖房システムにおいて、深夜・夜間電力以外の時間帯で暖房機を所定時間連続運転したときに、該暖房機への温水供給を自動的に停止する温水供給停止回路を設けたことを特徴とする。
なお、ここでいう暖房機は乾燥機を含むものとする。
【０００６】
この場合において、深夜・夜間電力以外の時間帯で暖房機を連続運転して一定時間が経過したときに、暖房運転中であることを音声案内をする音声案内回路を設けることができる。
【発明の効果】
【０００７】
本発明の給湯暖房システムによれば、電気給湯機より浴槽へ給湯するようにするとともに、前記電気給湯機のタンク内に設置した暖房用熱交換器と室内に設置した暖房機間を、暖房用熱交換器にて加熱された温水が循環用ポンプにより循環する暖房用回路を設けた給湯暖房システムにおいて、深夜・夜間電力以外の時間帯で暖房機を所定時間連続運転したときに、該暖房機への温水供給を自動的に停止する温水供給停止回路を設けることから、暖房機を切り忘れても暖房用熱交換器の温水供給を自動的に停止することができ、これにより、暖房運転によるタンク内の熱量不足を防止し、深夜・夜間電力以外の高い時間帯の電力を使用することなく電気給湯機を有効に使用することができる。
【０００８】
また、深夜・夜間電力以外の時間帯で暖房機を連続運転して一定時間が経過したときに、暖房運転中であることを音声案内をする音声案内回路を設けることにより、暖房運転中であることを音声により確認し、無駄な暖房運転を防止することができる。
【発明を実施するための最良の形態】
【０００９】
以下、本発明の給湯暖房システムの実施の形態を、図面に基づいて説明する。
【実施例１】
【００１０】
図１〜図２に、本発明の給湯暖房システムの一実施例を示す。
この給湯暖房システムは、電気給湯機として電気温水器（ヒータ式給湯機）Ｈを用いたもので、この電気温水器Ｈより浴槽１０へ給湯するようにするとともに、前記電気温水器Ｈのタンク１内に設置した暖房用熱交換器７と室内に設置した暖房機８との間を、暖房用熱交換器７にて加熱された温水が循環用ポンプ９により循環する暖房用回路を設けている。
そして、この給湯暖房システムは、深夜・夜間電力以外の時間帯で暖房機８を所定時間連続運転したときに、該暖房機８への温水供給を自動的に停止する温水供給停止回路（図示省略）を設けている。
【００１１】
電気温水器Ｈは、前記暖房用熱交換器７を備えるとともに、所要の貯湯容量を有する円筒状のタンク１と、タンク１の上部と下部に設置され、タンク１内の水を設定温度まで加温する上部ヒータ２及び下部ヒータ３と、上部ヒータ２の上方に配設され、浴槽１０から供給される水をタンク１内に貯留された温水により加温するようにした追い焚き用熱交換器４とを備えている。
また、電気温水器Ｈのタンク１には、その底部位置に給水管５、上部位置に出湯管６を設けて、給水管５から給水することによりタンク１内の湯を押し上げるようにして、配管６から浴槽１０や蛇口に出湯するようにしている。
なお、浴槽１０には、タンク１の温水側配管６と水道管Ｓの水道水側配管１１とが接続されており、温水側配管６の熱交換器配管４ａとの合流部Ｔ２の上流側には、ソレノイドバルブ１５、流量センサ１６及び逆止弁１７を備えた温水制御手段１８が設けられるとともに、水道水側配管１１の熱交換器配管４ｂとの合流部Ｔ１の上流側には、同じ構成からなる水道水制御手段１９が設けられている。
これらの制御手段１８、１９は、温水側配管６からは電気温水器Ｈの温水を、水道管Ｓからは水道水をそれぞれ浴槽１０に供給するに際し、浴槽１０に供給される温水及び水道水の温度に基づいて、電気温水器Ｈの温水及び水道水の水量を調節し、浴槽１０の湯の温度及び湯量を適正に制御する。
【００１２】
追い焚き用熱交換器４は、熱交換器配管４ａ、４ｂ及びポンプ４ｃを介し、タンク１内の貯湯と効率的に熱交換されるようにタンク１の径よりも小径の螺旋状に形成されるとともに、この追い焚き用熱交換器４を、タンク１内の中央部に配設するようにして、これにより、タンク１内に貯留された温水の対流と循環が良好に維持され、追い焚き用熱交換器４による浴槽１０の追い焚きを効率よく確実に行えるようにしている。
また、タンク１の胴部には、その取付位置を上下方向に変えて複数の温度センサ１ａを取り付け、この温度センサ１ａによって、タンク内の温水温度の低下を迅速で正確に検知し、必要に応じて上部ヒータ２や下部ヒータ３による追加的な加熱を実施できるようにしている。
【００１３】
一方、暖房用回路は、タンク内に追い焚き用熱交換器４とは別に独立して配設した暖房用熱交換器７と、浴室内に設置した暖房機８と、暖房用熱交換器７と暖房機８の間を温水が循環するように配管した暖房側配管７ａ、７ｂと、一方の暖房側配管７ｂに接続された開放型の膨張タンク１３及び循環用ポンプ９等より構成され、暖房用熱交換器７の内部で加熱した温水を暖房機８との間で循環させることにより、暖房運転や乾燥運転を行うようになっている。
【００１４】
暖房用熱交換器７は、追い焚き用熱交換器４と同様に螺旋状とし、かつ追い焚き用熱交換器４の径よりも小径とし、暖房用熱交換器７を追い焚き用熱交換器４の内周側に同心的に配設している。
これにより、１つのタンク内で、２つの熱交換器４、７で同時に熱交換による水又は温水の加熱を行うようにしている。
【００１５】
また、膨張タンク１３は、上限用レベルセンサ１３ａ及び下限用レベルセンサ１３ｂと、オーバフロー管１３ｃを備え、水道管Ｓより分岐した補給水配管１３ｄを接続し、補給水配管１３ｄに接続した開閉弁（給水電磁弁）１３ｅにより暖房用熱交換器７、暖房機８間を循環する水量が、その温度変化により体積が膨張又は収縮しても、水量が常に一定量となるように膨張タンク１３内にて吸収させるとともに、循環水量が減少した場合においても、下限用レベルセンサ１３ｂの検知により開閉弁１３ｅにて循環水を補給することができ、これにより、安定して温水が暖房用熱交換器７と暖房機８間を循環するようにしている。
【００１６】
暖房機８は、制御装置１４を備え、この制御装置１４にて暖房機８の運転又は運転停止を行うようにしている。
また、暖房側配管７ａ、７ｂは、点検時等において、この配管７ａ、７ｂ内の排水を簡易で確実に行えるように排水コック１２を備えるとともに、暖房側配管７ａ、７ｂの適宜箇所に凍結防止用温度センサ７ｃが配設されている。
【００１７】
そして、制御装置１４は前記した温水供給停止回路（図示省略）を備え、この温水供給停止回路は、深夜・夜間電力以外の時間帯で暖房機８を例えば２時間連続運転したときに、タイマー等によって循環用ポンプ９を停止することにより、暖房機８への温水供給を自動的に停止するようになっている。
また、制御装置１４は、同じく深夜・夜間電力以外の時間帯で暖房機８を連続運転して例えば１時間が経過したときに、暖房運転中であることを音声案内をする音声案内回路（図示省略）を備えている。
なお、これらの温水供給停止回路や音声案内回路は、制御装置１４の設定により動作環境をＯＮ／ＯＦＦに切り換えることができる。
【００１８】
次に、この給湯暖房システムの作用について説明する。
冬季などにおいて、入浴に際し、浴室内を暖房する場合、或いは浴室内の乾燥又は浴室内に干した洗濯物を乾燥する場合、暖房機８を運転して行う。
通常は、給湯暖房システムの開閉弁１３ｅは閉じられているので、タンク１内に配設された暖房用熱交換器７内の水はタンク１内の湯との熱交換にて加温されており、この状態で循環用ポンプ９を駆動することにより、暖房用熱交換器７内で熱交換にて加熱された温水が、暖房用熱交換器７と暖房機８との間を、暖房側配管７ａ、７ｂを介して循環することとなる。
そして、暖房機８内には熱交換器８ａと送風機８ｂとが配設されているので、暖房機８内で空気は熱交換され、温風となって浴室内へ吹き出され、浴室内の暖房や乾燥運転を行うことができる。
【００１９】
この場合、浴槽への給湯後などは特に暖房機８を切り忘れがちになるが、本実施例の給湯暖房システムは、深夜・夜間電力以外の時間帯で暖房機８を所定時間連続運転したときに、該暖房機８への温水供給を自動的に停止する温水供給停止回路を備えることから、暖房機８を切り忘れても暖房用熱交換器７の温水供給を自動的に停止することができ、これにより、負荷の大きい連続暖房運転によるタンク内の熱量不足を防止し、深夜・夜間電力以外の高い時間帯の電力を使用することなく電気温水器Ｈを有効に使用することができる。
また、深夜・夜間電力以外の時間帯で暖房機８を連続運転して一定時間が経過したときに、暖房運転中であることを音声案内をする音声案内回路を設けることにより、暖房運転中であることを音声により確認し、無駄な暖房運転を防止することができる。
特に、「時間帯別電灯」等の契約では、午前７時から午後１１時までの昼間時間帯電力料金が夜間時間帯電力料金の３倍になるので、電気温水器Ｈを特に経済的に使用することができる。
【００２０】
以上、本発明の給湯暖房システムを、電気温水器（ヒータ式給湯機）Ｈを用いた実施例に基づいて説明したが、本発明は上記実施例に記載した構成に限定されるものではなく、例えば、電気給湯機として大気熱を利用するヒートポンプ式給湯機を用いたり、浴室に限らず床暖房その他の暖房にも利用できるなど、その趣旨を逸脱しない範囲において適宜その構成を変更することができる。
【産業上の利用可能性】
【００２１】
本発明の給湯暖房システムは、負荷の大きい連続暖房運転によるタンク内の熱量不足を防止し、深夜・夜間電力以外の高い時間帯の電力を使用することなく電気給湯機を有効に使用することができるという特性を有していることから、暖房機能付き電気給湯機の用途に好適に用いることができる。
【図面の簡単な説明】
【００２２】
【図１】本発明の給湯暖房システムの一実施例を示す概略構造図である。
【図２】本発明の給湯暖房システムに用いる電気給湯機を示し、（Ａ）は断面図、（Ｂ）は電気給湯機のタンク内に配設された熱交換器の正面図である。
【符号の説明】
【００２３】
Ｈ    電気給湯機（電気温水器）
Ｓ    水道管
１    タンク
２    上部ヒータ
３    下部ヒータ
４    追い焚き用熱交換器
５    給水管
６    温水側配管
７    暖房用熱交換器
８    暖房機（暖房乾燥機）
９    循環用ポンプ
１０  浴槽
１１  水道水側配管
１２  排水コック
１３  膨張タンク
１４  制御装置
１５  ソレノイドバルブ
１６  流量センサ
１７  逆止弁
１８  温水制御手段
１９  水道水制御手段
【図１】
2005133956.tif 000003
【図２】
2005133956.tif 000004